(57)【特許請求の範囲】
【請求項１】
作業進行方向に対して斜め後方に延びる作業機フレームの上下に等間隔で複数のボトムを取付けて構成したリバーシブルプラウ作業機において、
前記作業機フレームの後端部に装着されている破砕アーム取付けアダプタと、この破砕アーム取付けアダプタに着脱自在に取付けられている破砕アームとを備え、
前記破砕アームは、ビーム部と、該ビーム部の下端部分が作業反転方向にく型に曲げられて形成された破砕刃を有し、該破砕刃の作業進行方向の下端縁にはビーム部に連続した破砕刃縁が形成されており、該破砕刃によりプラウ作業機による耕起反転作業中にボトムが形成したれき溝の壁を抉って破砕するものであり、
前記破砕アーム取付けアダプタには、破砕アームのビーム部を挿入可能な溝が形成されており、該溝に破砕アームのビーム部を挿入し、破砕アームを、破砕アーム取付けアダプタに対して高さ及び前記溝の任意の側面への取付け位置を、選択して固定可能な構成とし、
前記破砕アームを、破砕アーム取付けアダプタに対して高さ及び前記溝の任意の側面への取付け位置を選択して固定することで、破砕するれき壁の高さ及び破砕する作業幅方向の位置を選択可能とし、れき溝の幅を、トラクタに装着した低扁平率のタイヤが前記破砕刃で破砕して形成されたれき溝の壁の内面に沿って走行できるように、該低扁平率のタイヤの幅に合わせて広げることを可能とする構成であることを特徴とするれき土破砕装置付きリバーシブルプラウ作業機。
【請求項２】
破砕刃は破砕アームのビーム部に対して先端部が下り勾配になった落下角度が付けられていることを特徴とする請求項１記載のれき土破砕装置付きリバーシブルプラウ作業機。
【発明の詳細な説明】
【０００１】
【発明の属する技術分野】
本発明はれき土破砕装置付きプラウ作業機に関し、さらに詳しくは、低偏平率タイヤを装着したトラクタに適したれき土破砕装置付きプラウ作業機に関する。
【０００２】
【従来の技術】
周知にように、農作業においては広くトラクタが使用されているところであって、とくに圃場での作業においては不可欠である。このトラクタは圃場内を移動しながら作業機により所期の作業を能率よく行うものであるが、自重が原因する踏圧により圃場内の踏み固めの問題も含んでいる。これを少なくするために圃場内での移動順序、作業順序を改善したり、あるいは、ホィールトラクタに代えて接地圧の低いクローラ形式のトラクタの導入が図られている。
【０００３】
従来広く普及しているホィール型トラクタをクローラ型トラクタに置き換えれば踏圧問題は解決するのであるが、クローラ型トラクタは大規模圃場には適しているが、比較的狭い圃場には向かない問題があり、置き換えるにしても、費用の問題は発生することになる。
現在普及しているトラクタの多くはホィール形式であることから、踏圧の問題を解消するにはこの種のトラクタの改善が必要になり、その改善策の一つとして、偏平率の低いタイヤを装着したのもが提供されるに至っている。扁平率の低いタイヤは接地面積が大きく(単位面積あたりの荷重は小さい)、しかも、大きな牽引力が得られることから広く受け入れられる傾向にある。
【０００４】
【発明が解決しようとする課題】
ところが、低扁平率タイヤを装着したトラクタにプラウ作業機を装着して耕起し反転作業を行うと、プラウ作業機の単一のボトムの耕幅よりタイヤの幅が広い（大きい）ケースが発生し、次の作業行程において、既にボトムにより形成されたれき溝に低扁平率のタイヤが収まらずれき壁を乗り越えて、これを壊しながら移動する場合が発生する。言い換えると、タイヤの側面がれき壁に密着するのではなく、これを破壊しながら作業移動することが余儀なくされる。これによりトラクタの移動走行時の移動軌跡が安定せず、直進性が低下して、作業能率を低下させることがあった。
【０００５】
【課題を解決するための手段】
上述の目的を達成するために、本発明は、作業機フレームにボトムを取付けて構成したプラウ作業機において、前記作業機フレームの後端部に装着されている破砕アーム取付けアダプタと、この破砕アーム取付けアダプタに着脱自在に取付けられている破砕アームとを備え、前記破砕アームは下端部が作業反転方向に曲げられた破砕刃をもち、この破砕刃が耕起反転作業中に最終ボトムが形成したれき壁を破砕するように構成したことを特徴とするもので、これによりトラクタの後輪が移動できる幅のれき溝を形成でき、次の行程においてトラクタの直進走行を確実なものにできる。
また、破砕刃は破砕アームのビーム部に対して先端部が下り勾配になった落下角度が付けられていることを特徴とするもので、これによりれき土を確実にれき溝に落下させることができる。
また、破砕アームは前記破砕アーム取付けアダプタの任意の側面を選ぶことでに取付け位置を選択できるように構成したことを特徴とするもので、これにより破砕する幅方向の位置の選択ができる。
また、破砕アームは前記破砕アーム取付けアダプタに対して高さを選択できるように構成したことを特徴とするもので、これにより破砕するれき壁の高さの選択ができる。
【０００６】
【発明の実施の形態】
以下、本発明の実施態様を添付した図面に沿って説明する。図１において、符号１０はプラウ作業機（以下、作業機という）を示し、作業進行方向とは斜め後方に延びる作業機フレーム１１の上下に等間隔で複数のボトム１２をビーム１３を介して取付けて構成したもので、言い換えると、図１はリバーシブルプラウ作業機を示している。また、この作業機フレーム１１の後端部近くには、作業進行方向に沿った垂直な平面内に方形のフランジ１４が張り出して設けてあって、上下両端部には上下対称位置にボルト孔１４Ａが穿たれている。
このフランジ１４が後述するれき土破砕装置を取付けるための機能をもので、その形状は図に示すものに限定されない。
【０００７】
このフランジ１４に対して後述するれき土破砕装置２０を装着するのであって、このれき土破砕装置２０を作業機フレーム１１に取付けるためにフランジ１４と平行な方向に沿って装着フランジ２１、２２が間隔をおいて配置され、両者の間は作業機フレーム１１と平行な方向に長い連結部材２３により結合されている。
さらに詳しくは、前記連結部材の両端部に装着フランジ２１、２２が取付けられていて、この二つのフランジ２１、２２は略三角形状をしていて、そのフランジ２１、２２の上下両端位置には上下対称位置にボルト孔２１Ａ、２２Ａ穿たれており、前記ボルト孔１４Ａに重ね合
することができるようになっている。
【０００８】
前記フランジ２２に対しては、れき土破砕装置２０を構成する略「く」字型をした破砕アーム取付けアダプタ２４が取付けられるのであって、この破砕アーム取付けアダプタ２４は直線的形状の基部２４Ａの両端部が略４５度に曲げられて形成された支持部２４Ｂになっている。これは、リバーシブルプラウ作業機に装着するために基部２４Ａの両端部に支持部２４Ｂを形成したもので、スタンダード型の作業機にあっては基部２４Ａの片方のみに支持部２４Ｂがあればよい。
前記基部２４Ａは前記フランジ２１、２２の三角形状部分に対応した長さをもち、さらには前記ボルト孔２１Ａ、２１Ａ、ボルト孔２２Ａ、２２Ａの間隔に等しい間隔でボルト孔２４Ｘ、２４Ｘが穿たれている。
【０００９】
また、前記破砕アーム取り付けアダプタ２４の支持部２４Ｂのさらに端部２４Ｃ、２４Ｃには上下両端部が開放されている溝２４Ｙが形成されていて、この溝２４Ｙに破砕アーム２６のビーム部２６Ｘを挿入してボルト結合することができるようになっている。この溝２４Ｙの両脇にはボルト孔２４Ｚが穿たれていて、後で説明する締着具２５のもつボルト機能の両端部間隔と合わせることができるようになっている。
【００１０】
この締着具２５はカナ文字の「コ」型をしていて、その両端部２５Ａはねじ部になっていて、そのねじ部を前記破砕アーム取付けアダプタ２４の両端部２４Ｃにある溝２４Ｙ脇のボルト孔２４Ｚに挿通してナット（図示省略）による締着けを可能にしている。
【００１１】
そして、この破砕アーム２６は前記破砕アーム取り付けアダプタ２４の溝２４Ｙに沿って装通することができ、直線状のビーム部２６Ｘと、これに連続して形成されている破砕刃２６Ｙとにより形成されている。この破砕刃２６Ｙはビーム部２６Ｘの下端部分がボトムプラウの反転側に「く」型に曲げられて形成されたもので、作業進行方向の下端縁にはビーム部２６Ｘに連続した破砕刃縁２６Ｚが形成されている。
この破砕アーム２６のビーム部２６Ｘは前記破砕アーム取付けアダプタ２４の溝２４Ｙに沿って収容されるもので、幅寸法は溝２４Ｙに対応したものになっている。
【００１２】
破砕アーム２６は前記破砕アーム取付けアダプタ２４の溝２４Ｙにそのビーム部２６Ｘが収容されて位置決めされる。この状態で締付具２５が両端部２５Ａのねじ部がボルト孔２４Ｚに装通され、図示を省略するがナットをねじ込むことで破砕アーム２６を前記破砕アーム取付けアダプタ２４に対して固定する。
【００１３】
以上の説明では、破砕アーム２６は、図９Ａ（正面図）、Ｂ（側面図）、それぞれに示すように、前記破砕アーム取付けアダプタ２４の溝２４Ｙにそのビーム部２６Ｘが収容されて位置決めされるものをあげたが、そのビーム２６Ｘを溝２４Ｙとは反対側面に対して破砕アーム取付けアダプタ２４の側面に位置させて締着具２５を前記とは逆方向から装通してナットにより固定する。
これにより、破砕アームの取付け位置を前記破砕アーム取付けアダプタ２４の厚さ分だけれき溝側に位置変更させることができ、作業幅方向の破砕位置の調整を可能にしている。
これにより、トラクタに装着した低扁平率のタイヤ幅に合わせて破砕アーム２６の位置を選択してボトムの耕起能力により異なるれき溝Ｒの位置に合わせることを可能にしている。
【００１４】
とくに、破砕刃２６Ｙはれき溝側に向って下り傾斜を形成して落下角θを付してあるので、れき壁Ｒを破砕した際に破砕刃２６Ｙに乗りがちな土を確実にれき溝側に落下させるようにしてある。
以上の説明ではリバーシブル形式の作業機を示したが、スタンダード形式の作業機であってもれき土破砕装置を適用することができる。
【００１５】
次に本発明のれき土破砕装置２０を装備したプラウ作業機１０を用いた作業について説明する。作業機１０は知られているプラウ作業の手順に沿って耕起反転作業を行うもので、トラクタに装着されて使用される。トラクタの後輪タイヤＴはれき溝Ｒの壁面に密着状態におかれて直進走行を行うこと従来知られているところである。
【００１６】
このとき、前作業行程において形成されたれき溝の壁Ｒにトラクタの後輪がその内側を密着状態にして作業走行するのであるが、低扁平率タイヤＴにおいてはボトムの耕起幅より幅広の場合には、後輪はれき溝を乗り越えて、詳しくは、れき壁Ｒを破壊しながら移動することになる。
しかしながら、れき溝の幅が狭い従来の場合には、前耕起反転作業行程において、最終ボトムが耕起反転して形成されるれき溝の壁を破砕してれき溝の幅を拡大する。
すなわち、作業機１０の後端部に取付けたれき土破砕装置２０がれき溝のれき壁Ｒを破砕しながら移動する。すなわち、図１０に示すようにれき土破砕装置２０を構成する破砕アーム２６の破砕刃縁２６Ｚがボトムにより形成されたれき溝の壁Ｒを抉るように破砕して落下角度を利用してれき土が溝側に落下移動させられ、れき溝の幅ｈがれき溝の幅Ｈに拡幅される。
【００１７】
この作業に先立ち、れき土破砕装置２０の高さ調節を行う必要があるが、締着２５を緩めればビーム部２６Ｘは破砕アーム取付けアダプタ２４に対して溝２４Ｙに沿ってスライドさせることができるので、破砕刃２６Ｙの作業高さ位置を選択し、再び締着具２５をナット締めすることで所定の作業高さを選択し、固定するものである。
【００１８】
【発明の効果】
以上の説明から明らかなように、本発明のれき土破砕装置付きプラウ作業機よれば、耕起反転作業中に最終ボトムが形成したれき溝の壁を作業機フレームに取付けたれき土破砕装置が確実に破砕して、れき溝中に落下させることができ、これによりれき溝の幅を拡幅することでき、次の作業工程においてトラクタの後輪がれき溝に沿って確実に移動することができ、安定した姿勢で耕起作業を行うことができる。
【００１９】
また、前記れき土破砕装置の破砕アームの破砕刃には落下角度を与えてあるので破砕した土を確実にれき溝中に落下移動させ得て耕起作業の確実性の向上に寄与することができる。
【００２０】
また、破砕アーム取付けアダプタに対して破砕アームの取付け位置をその内側、あるいは外側に選択することでれき土の破砕位置を調整することができ、さらには、破砕アームの取付け位置を上下方向にも調整することができ、破砕個所の高さ方向の選択もできるなどの効果がある。
【図面の簡単な説明】
【図１】  本発明によるれき土破砕装置を装備した作業機の部分側面図である。
【図２】  本発明によるれき土破砕装置を装備した作業機の部分平面図である。
【図３】  本発明によるれき土破砕装置の側面図である。
【図４】  れき土破砕装置の破砕アームの背面図である。
【図５】  れき土破砕装置に用いる連結部材の平面図である。
【図６】  れき土破砕装置に用いる連結部材の正面図である。
【図７】  破砕アーム取付けアダプタの側面図図である。
【図８】  締着具の北面図である。
【図９】  Ａ、Ｂはれき土破砕装置の破砕アームの正面および側面図である。
【図１０】  本発明によるれき土破砕装置の作業状態を示す説明図である。
【符号の説明】
１０  プラウ作業機
１１  作業機フレーム
１２  ボトム
１３  ビーム
１４  フランジ
１４Ａ  ボルト孔
２０  れき土破砕装置
２１、２２  フランジ
２３  連結部材
２４  破砕アーム取付けアダプタ
２４Ａ  基部
２４Ｃ  両端部
２４Ｘ  ボルト孔
２４Ｙ  溝
２４Ｚ  ボルト孔
２５  締着具
２５Ａ  両端部
２６  破砕アーム
２６Ｘ  ビーム部
２６Ｙ  破砕刃
２６Ｚ  破砕刃縁
【図１】
0004713005.tif 000002
【図２】
0004713005.tif 000003
【図３】
0004713005.tif 000004
【図４】
0004713005.tif 000005
【図５】
0004713005.tif 000006
【図６】
0004713005.tif 000007
【図７】
0004713005.tif 000008
【図８】
0004713005.tif 000009
【図９】
0004713005.tif 000010
【図１０】
0004713005.tif 000011